(57)【要約】【課題】撮影画像（証明写真）の貼り替えや、成りすましなどによる不正使用を防止するために、撮影画像（証明写真）の貼り替えや、成りすましを容易に見破ることが可能な撮影画像（証明写真）を１台の装置で容易に生成することができる画像生成装置を提供することにある。【解決手段】撮影対象者の顔を含む少なくとも一部分を撮影し、撮影画像を取得する撮影画像取得手段と、前記撮影画像取得手段により取得した撮影画像を外部に出力する画像出力手段と、を有する画像生成装置において、前記撮影対象者の生体認証情報を取得する生体認証情報取得手段と、前記生体認証情報取得手段により取得された生体認証情報を、前記撮影画像取得手段により取得された撮影画像に埋め込み、前記生体認証情報が埋め込まれた認証画像を生成する認証画像生成手段と、を有し、前記画像出力手段は、前記認証画像生成手段により生成された認証画像を外部に出力することを特徴とする。【選択図】図１
2009130384.tif 000002
【特許請求の範囲】
【請求項１】
撮影対象者の顔を含む少なくとも一部分を撮影し、撮影画像を取得する撮影画像取得手段と、前記撮影画像取得手段により取得した撮影画像を外部に出力する画像出力手段と、を有する画像生成装置において、
前記撮影対象者の生体認証情報を取得する生体認証情報取得手段と、
前記生体認証情報取得手段により取得された生体認証情報を、前記撮影画像取得手段により取得された撮影画像に埋め込み、前記生体認証情報が埋め込まれた認証画像を生成する認証画像生成手段と、
を有し、
前記画像出力手段は、前記認証画像生成手段により生成された認証画像を外部に出力することを特徴とする画像生成装置。
【請求項２】
撮影対象者の顔を含む少なくとも一部分を撮影し、撮影画像を取得する撮影画像取得手段と、
前記撮影対象者の生体認証情報を取得する生体認証情報取得手段と、
前記撮影画像取得手段により取得された撮影画像を特定領域中の一部分に配置する場合に、
前記特定領域のうちの前記撮影画像が配置される一部分以外の領域に配置された背景画像に、前記生体認証情報取得手段により取得された生体認証情報を埋め込み、前記生体認証情報が埋め込まれた認証画像を生成する認証画像生成手段と、
前記認証画像生成手段により生成された認証画像を外部に出力する画像出力手段と、
を有することを特徴とする画像生成装置。
【請求項３】
請求項２に記載の画像生成装置において、
前記認証画像生成手段は、前記撮影画像と前記背景画像と、に前記生体認証情報取得手段により取得された生体認証情報を埋め込み、前記生体認証情報が埋め込まれた認証画像を生成することを特徴とする画像生成装置。
【請求項４】
請求項１乃至請求項３のいずれか一項に記載の画像生成装置において、
前記撮影画像取得手段により撮影対象者の顔を含む少なくとも一部分を撮影する際の前記撮影画像取得手段のピント情報を取得するピント情報取得手段を更に有し、
前記認証画像生成手段は、前記撮影画像、又は、前記背景画像に、前記ピント情報取得手段により取得されたピント情報と前記生体認証情報と、を対応させて埋め込み、認証画像を生成することを特徴とする画像生成装置。
【請求項５】
請求項１乃至請求項４のいずれか一項に記載の画像生成装置において、
前記生体認証情報は、目の大きさ、左右の目の間の距離、ほくろの大きさ、肌の色、髪の色、目の色、指紋、虹彩、静脈についての情報の少なくともいずれか一つであることを特徴とする画像生成装置。
【請求項６】
請求項１乃至請求項５のいずれか一項に記載の画像生成装置において、
前記認証画像生成手段は、前記撮影画像、又は、前記背景画像に、前記生体認証情報を電子透かしとして埋め込む、又は、前記生体認証情報を二次元バーコード、及び情報を符号化したものを埋め込むことを特徴とする画像生成装置。
【請求項７】
請求項１乃至請求項６のいずれか一項に記載の画像生成装置において、
前記画像出力手段は、前記認証画像生成手段により生成した認証画像を媒体に印刷することにより外部に出力することを特徴とする画像生成装置。
【請求項８】
請求項１乃至請求項７のいずれか一項に記載の画像生成装置において、
前記撮影画像、又は、前記背景画像に埋め込まれた生体認証情報は、紫外域あるいは赤外域の波長を有する光源下で目視可能、又は、判別可能であることを特徴とする画像生成装置。
【請求項９】
請求項１乃至請求項８のいずれか一項に記載の画像生成装置において生成され外部に出力された認証画像は、写真であることを特徴とする認証画像。
【発明の詳細な説明】
【技術分野】
【０００１】
本発明は、画像生成装置等に関するものであり、特に、生体認証情報を埋め込んだ認証画像を生成する画像生成装置等に関する。
【背景技術】
【０００２】
近年、パスポート、運転免許証、履歴書等に用いられる撮影画像（証明写真）を生成するために画像生成装置（証明写真ボックス）が用いられている（特許文献１）。このように、画像生成装置によって生成された撮影画像（証明写真）がパスポート等に用いられているが、最近では、撮影画像（証明写真）を貼り替えることによりパスポート等の偽造がなされたり、成りすましなどによる不正使用が増加している。特に、このような偽造パスポートは、国際的な組織犯罪や不法な出入国に利用されている。
【特許文献１】特開２００２−３１１４９４号公報
【発明の開示】
【発明が解決しようとする課題】
【０００３】
このような状況において最近では、偽造が困難で、安全性の高いパスポートを作成するために、パスポートにＩＣチップを搭載し、国籍や名前、生年月日など旅券面の身分事項の他、所持人の顔写真を磁気的に記録したパスポートが作成されている。このようなパスポートが作成されることにより、撮影画像（証明写真）を貼り替えたパスポート等を使用してもＩＣチップに記録されている情報と当人の顔やその他情報とを照合することにより偽造を見破ることが容易となり、パスポートの偽造を防いでいる。
【０００４】
しかしながら、ＩＣチップを搭載したパスポートを作成するためには、通常パスポートに用いる撮影画像（証明写真）を生成する工程、その他、ＩＣチップに所持人の個人情報等を記録する工程、その後ＩＣチップをパスポートに組み込む工程等が必要であったため、パスポート作成の際に複数の装置を用いて作成しなければならず、手間と時間がかかってしまうといった問題が生じていた。
【０００５】
そこで、本発明は上記の問題点に鑑みて為されたものであり、撮影画像（証明写真）の貼り替えや、成りすましなどによる不正使用を防止するために、撮影画像（証明写真）の貼り替えや、成りすましを容易に見破ることが可能な撮影画像（証明写真）を１台の装置で容易に生成することができる画像生成装置を提供することにある。
【課題を解決するための手段】
【０００６】
上記の課題を解決するために、請求項１に記載の発明は、撮影対象者の顔を含む少なくとも一部分を撮影し、撮影画像を取得する撮影画像取得手段と、前記撮影画像取得手段により取得した撮影画像を外部に出力する画像出力手段と、を有する画像生成装置において、前記撮影対象者の生体認証情報を取得する生体認証情報取得手段と、前記生体認証情報取得手段により取得された生体認証情報を、前記撮影画像取得手段により取得された撮影画像に埋め込み、前記生体認証情報が埋め込まれた認証画像を生成する認証画像生成手段と、を有し、前記画像出力手段は、前記認証画像生成手段により生成された認証画像を外部に出力することを特徴とする。
【０００７】
これによれば、パスポート等に用いる撮影画像（証明写真）に生体認証情報を埋め込んだ認証画像を用いることによって、撮影画像（証明写真）を貼り替えたパスポート等を使用しても撮影画像（証明写真）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【０００８】
また、生体認証情報が埋め込まれた撮影画像（証明写真）を１台の画像生成装置において作成できることにより、生体認証情報が埋め込まれた撮影画像（証明写真）を容易に生成することができる。よって、このような認証画像を生成することにより、撮影画像（証明写真）の貼り替えや、成りすましなどによる不正使用を簡便に防止することができる。
【０００９】
上記の課題を解決するために、請求項２に記載の発明は、撮影対象者の顔を含む少なくとも一部分を撮影し、撮影画像を取得する撮影画像取得手段と、前記撮影対象者の生体認証情報を取得する生体認証情報取得手段と、前記撮影画像取得手段により取得された撮影画像を特定領域中の一部分に配置する場合に、前記特定領域のうちの前記撮影画像が配置される一部分以外の領域に配置された背景画像に、前記生体認証情報取得手段により取得された生体認証情報を埋め込み、前記生体認証情報が埋め込まれた認証画像を生成する認証画像生成手段と、前記認証画像生成手段により生成された認証画像を外部に出力する画像出力手段と、を有することを特徴とする。
【００１０】
これによれば、撮影画像（証明写真）を特定領域（パスポート用、運転免許証用、履歴書用等の台紙）中の一部分に配置する場合に、特定領域のうちの撮影画像（証明写真）が配置される一部分以外の領域に配置された背景画像（地紋）に、生体認証情報を埋め込んだ認証画像を用いることによって、背景画像（地紋）に埋め込まれている生体認証情報を読み取り、当人の生体認証情報と照合することにより、偽造を見破ることができる。よって、このような認証画像を生成することにより、不正使用を防止することができる。
【００１１】
上記の課題を解決するために、請求項３に記載の発明は、請求項２に記載の画像生成装置において、前記認証画像生成手段は、前記撮影画像と前記背景画像と、に前記生体認証情報取得手段により取得された生体認証情報を埋め込み、前記生体認証情報が埋め込まれた認証画像を生成することを特徴とする。
【００１２】
これによれば、撮影画像（証明写真）を特定領域（パスポート用、運転免許証用、履歴書用等の台紙）中の一部分に配置する場合に、撮影画像（証明写真）と背景画像（地紋）と、に生体認証情報を埋め込んだ認証画像を用いることによって、撮影画像（証明写真）と背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００１３】
上記の課題を解決するために、請求項４に記載の発明は、請求項１乃至請求項３のいずれか一項に記載の画像生成装置において、前記撮影画像取得手段により撮影対象者の顔を含む少なくとも一部分を撮影する際の前記撮影画像取得手段のピント情報を取得するピント情報取得手段を更に有し、前記認証画像生成手段は、前記撮影画像、又は、前記背景画像に、前記ピント情報取得手段により取得されたピント情報と前記生体認証情報と、を対応させて埋め込み、認証画像を生成することを特徴とする。
【００１４】
これによれば、撮影画像（証明写真）、又は、背景画像（地紋）に、生体認証情報と対応させて埋め込まれているピント情報を用いることによって、生体認証情報を正確に取得することができるため、撮影画像（証明写真）、又は、背景画像（地紋）に埋め込まれている生体認証情報を読み取り、当人の生体認証情報と照合する際に、偽造を見破る可能性を高めることができる。よって、このような認証画像を生成することにより、撮影画像（証明写真）の貼り替えや、成りすましなどによる不正使用を防止することができる。
【００１５】
上記の課題を解決するために、請求項５に記載の発明は、請求項１乃至請求項４のいずれか一項に記載の画像生成装置において、前記生体認証情報は、目の大きさ、左右の目の間の距離、ほくろの大きさ、肌の色、髪の色、目の色、指紋、虹彩、静脈についての情報の少なくともいずれか一つであることを特徴とする。
【００１６】
これによれば、パスポート等に用いる撮影画像（証明写真）、又は、背景画像（地紋）に目の大きさ、左右の目の間の距離等の生体認証情報を埋め込んだ認証画像を用いることによって、撮影画像（証明写真）を貼り替えたパスポート等を使用しても撮影画像（証明写真）、又は、背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００１７】
上記の課題を解決するために、請求項６に記載の発明は、請求項１乃至請求項５のいずれか一項に記載の画像生成装置において、前記認証画像生成手段は、前記撮影画像、又は、前記背景画像に、前記生体認証情報を電子透かしとして埋め込む、又は、前記生体認証情報を二次元バーコード、及び情報を符号化したものを埋め込むことを特徴とする。
【００１８】
これによれば、撮影画像（証明写真）、又は、背景画像（地紋）に生体認証情報を埋め込むことによって、パスポートに身分事項等の情報を記憶させているＩＣチップを搭載する必要がないため、ＩＣチップをパスポートに組み込む工程を別に設ける必要がない。よって、生体認証情報が埋め込まれた撮影画像（証明写真）、又は、背景画像（地紋）を容易に生成することができ、撮影画像（証明写真）の貼り替えや、成りすましなどによる不正使用を簡便に防止することができる。
【００１９】
上記の課題を解決するために、請求項７に記載の発明は、請求項１乃至請求項６のいずれか一項に記載の画像生成装置において、前記画像出力手段は、前記認証画像生成手段により生成した認証画像を媒体に印刷することにより外部に出力することを特徴とする。
【００２０】
これによれば、パスポート等に用いる撮影画像（証明写真）、又は、背景画像（地紋）に生体認証情報を埋め込んだ認証画像を用いることによって、撮影画像（証明写真）を貼り替えたパスポート等を使用しても撮影画像（証明写真）、又は、背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００２１】
上記の課題を解決するために、請求項８に記載の発明は、請求項１乃至請求項７のいずれか一項に記載の画像生成装置において、前記撮影画像、又は、前記背景画像に埋め込まれた生体認証情報は、紫外域あるいは赤外域の波長を有する光源下で目視可能、又は、判別可能であることを特徴とする。
【００２２】
これによれば、撮影画像（証明写真）、又は、背景画像（地紋）に埋め込まれた生体認証情報は、紫外域あるいは赤外域の波長を有する光源下で目視可能、又は、判別可能であることによって、撮影画像（証明写真）、又は、背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００２３】
上記の課題を解決するために、請求項９に記載の発明は、請求項１乃至請求項８のいずれか一項に記載の画像生成装置において生成され外部に出力された認証画像は、写真であることを特徴とする。
【００２４】
これによれば、パスポート等に用いる撮影画像（証明写真）、又は、背景画像（地紋）に生体認証情報を埋め込んだ認証画像を用いることによって、撮影画像（証明写真）を貼り替えたパスポート等を使用しても撮影画像（証明写真）、又は、背景画像（地紋）に埋め込まれている生体認証情報を読み取り、当人の生体認証情報と照合することにより、偽造を見破ることができる。よって、このような認証画像用いることにより、撮影画像（証明写真）の貼り替えや、成りすましなどによる不正使用を防止することができる。
【発明の効果】
【００２５】
本発明によれば、パスポート等に用いる撮影画像（証明写真）に生体認証情報を埋め込んだ認証画像を用いることによって、撮影画像（証明写真）を貼り替えたパスポート等を使用しても撮影画像（証明写真）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００２６】
また、生体認証情報が埋め込まれた撮影画像（証明写真）を１台の画像生成装置において作成できることにより、生体認証情報が埋め込まれた撮影画像（証明写真）を容易に生成することができる。よって、このような認証画像を生成することにより、撮影画像（証明写真）の貼り替えや、成りすましなどによる不正使用を簡便に防止することができる。
【発明を実施するための最良の形態】
【００２７】
（第一実施形態）
以下に、本発明の画像生成装置を実施するための第一実施形態について図面を用いて説明する。
【００２８】
本実施形態は、本発明に係る画像生成装置を例えば、パスポート、運転免許証、履歴書等に用いられる撮影画像（証明写真）を生成するための画像生成装置（証明写真ボックス）に対して適用した場合の実施の形態である。
【００２９】
本発明の実施形態について、図１乃至図３を用いて説明する。
【００３０】
図１は、画像生成装置の概略図であり、図２は、画像生成装置の概要構成を示すブロック図であり、図３（ａ）は、画像生成装置の情報取得部における画像生成処理を示すフローチャートであり、（ｂ）は、画像生成装置のパソコンにおける画像生成処理を示すフローチャートであり、（ｃ）は、画像生成装置のプリンタにおける画像生成処理を示すフローチャートである。
【００３１】
[画像生成装置]
まず、本実施形態に係る画像生成装置について、図１を用いて概念的に説明する。
【００３２】
図１に示すように、本発明の画像生成装置１は、カメラ１１、虹彩情報取得部１２、指紋情報取得部１３、操作用タッチパネル１４、写真排出口１５、代金投入口１６、撮影用イス１７、鏡１８を含む情報取得部２と、後述するようにパソコン、プリンタを含む認証画像生成部３から構成されている。
【００３３】
このような構成からなる本実施形態における画像生成装置１では、まず、撮影対象者は、画像生成装置１内に入り、操作用タッチパネル１４により撮りたい撮影画像（証明写真）の種類を選択し、カメラ１１により顔を含む少なくとも一部分を撮影する。画像生成装置１は撮影画像（証明写真）を取得し、その際のカメラ１１のピント情報を取得する。続けて、撮影対象者の生体認証情報を取得する。次に、情報取得部２は、取得した撮影画像（証明写真）とピント情報と生体認証情報とを認証画像生成部３に送信し、認証画像生成部３は、情報取得部２から送信された撮影画像（証明写真）とピント情報と生体認証情報を取得する。次に、カメラ１１により取得された撮影画像（証明写真）に、生体認証情報とピント情報を埋め込み、生体認証情報が埋め込まれた認証画像を生成し、認証画像を外部に出力する。
【００３４】
このように、パスポート等に用いる撮影画像（証明写真）に生体認証情報を埋め込んだ認証画像を用いることによって、撮影画像（証明写真）を貼り替えたパスポート等を使用しても撮影画像（証明写真）に埋め込まれている生体認証情報を読み取り、当人の生体認証情報と照合することにより、偽造を見破ることができる。
【００３５】
更に、生体認証情報と対応させて撮影画像（証明写真）に埋め込まれているピント情報を用いることによって、生体認証情報を正確に取得することができるため、撮影画像（証明写真）に埋め込まれている生体認証情報を読み取り、当人の生体認証情報と照合する際に、偽造を見破る可能性を高めることができる。よって、このような認証画像を生成することにより、撮影画像（証明写真）の貼り替えや、成りすましなどによる不正使用を防止することができる。
【００３６】
また、生体認証情報が埋め込まれた撮影画像（証明写真）を１台の画像生成装置において作成できることにより、生体認証情報が埋め込まれた撮影画像（証明写真）を容易に生成することができる。よって、このような認証画像を生成することにより、撮影画像（証明写真）の貼り替えや、成りすましなどによる不正使用を簡便に防止することができる。
【００３７】
次に、本発明の画像生成装置を構成する各部の構成及び機能について図を用いて詳細に説明する。
【００３８】
[画像生成装置１の構成及び機構]
画像生成装置１は、上述したように情報取得部２と認証画像生成部３から構成されているため、情報取得部２、認証画像生成部３について順を追って説明する。
【００３９】
（情報取得部２）
まず、情報取得部２について説明する。情報取得部２は、撮影対象者の撮影画像（証明写真）、生体認証情報、ピント情報を取得したり、撮影対象者が撮りたい撮影画像（証明写真）の種類に応じて撮影画像（証明写真）の種類を選択したり、撮影対象者の指示がなされる部分である。
【００４０】
図２に示すように、情報取得部２は、撮影画像取得手段としてのカメラ１１、生体認証情報取得手段としての虹彩情報取得部１２と指紋情報取得部１３と測定部２１、ピント情報取得手段としてのピント情報取得部２２、通信部２３、操作用タッチパネル１４を含んで構成されている。
【００４１】
カメラ１１は、撮影画像取得手段として機能するものであり、具体的には、撮影対象者の顔を含む一部分を撮影し、撮影画像（証明写真）を取得するためのものである。
【００４２】
虹彩情報取得部１２、指紋情報取得部１３、測定部１４は、生体認証情報手段として機能するものである。
【００４３】
ここで、生体認証情報とは、人の生体的（身体的）特徴に関する情報であり、個人を特定することができるものである。この生体認証情報は、例えば、目の大きさ情報、左右の目の間の距離情報、ほくろの大きさ情報、肌の色情報、髪の色情報、目の色情報、ほくろの色情報、指紋情報、虹彩情報、静脈情報、人相情報、声紋情報、掌形情報、または筆跡情報などである。
【００４４】
目の大きさ情報は、人の目の大きさの特徴をデータ化した情報である、左右の目の間の距離情報は、人の左右の目の間の距離の特徴をデータ化した情報である。ほくろの大きさ情報は、人のほくろの大きさの特徴をデータ化した情報である。肌の色情報は、人の肌の色の特徴をデータ化した情報である。指紋情報は、人の指紋の特徴をデータ化した情報である。虹彩情報は、人の目の虹彩の特徴をデータ化した情報である。静脈情報は、人の手のひら、指または腕等における模様の特徴をデータ化した情報である。人相情報は、人の顔の輪郭や、目鼻口の形および配置などの特徴をデータ化した情報である。声紋情報は、人の発する声の特徴をデータ化した情報である。掌形情報は、掌の形、厚みおよび幅や、指の長さ、厚み及び幅などの特徴をデータ化した情報である。筆跡情報は、人の筆跡や、キーボードの打ち方などの特徴をデータ化した情報である。このような生体認証情報は、本人の生体的特徴を利用した情報であるため、他人による悪用（偽造、なりすまし）が困難であり、本人認証における信頼度が非常に高い。
【００４５】
ここで、生体認証情報は、可視光域以外の光源、特に、紫外域あるいは赤外域の波長を有する光源下で目視可能、又は、判別可能であることに特徴を有している。
【００４６】
このように、撮影画像（証明写真）に埋め込まれた生体認証情報は、紫外域あるいは赤外域の波長を有する光源下で目視可能、又は、判別可能であることによって、撮影画像（証明写真）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００４７】
虹彩情報取得部１２は、上述した生体認証情報のうち虹彩情報を取得する部分である。
【００４８】
指紋情報取得部１３は、上述した生体認証情報のうち指紋情報を取得する部分である。
【００４９】
測定部２１は、上述した生体認証情報のうち、目の大きさ、左右の目の間の距離、ほくろの大きさ等の長さを測定する部分である。
【００５０】
なお、本実施形態において、生体認証情報取得手段として、虹彩情報取得部１２、指紋情報取得部１３、測定部２１について記載したが、情報取得部２の種類に応じて生体認証情報取得手段を少なくとも一種類を備えていればよい。
【００５１】
ここで、ピント情報とは、撮影対象者の顔を含む少なくとも一部分を撮影する際のカメラのピント情報であり、例えば、顔写真が撮影された際のピント情報を用いることによって、撮影画像（証明写真）に表示された目の大きさ等を補正し、目の正確な大きさ（長さ）を取得することができる（ピント情報についての詳細な説明は、特開平４−６９６３１参照）。
【００５２】
ピント情報取得部２２は、上述したピント情報取得手段として機能するものである。
【００５３】
通信部２３は、認証画像生成部より生成された認証画像を操作用タッチパネルに表示するために受信したり、撮影画像、生体認証情報、ピント情報を認証画像生成部に送信したり、認証画像生成部と通信を行う部分である。
【００５４】
操作用タッチパネル１４は、入力部、表示部として機能し、撮影画像（証明写真）の種類を選択するために操作を入力したり、又は、認証画像生成部により生成した画像を表示するために用いられる。
【００５５】
（認証画像生成部３）
次に、認証画像生成部３について説明する。認証画像生成部３は、情報取得部２から取得された撮影画像に生体認証情報とピント情報とを埋め込んで認証画像を生成し、出力する部分である。
【００５６】
図２に示すように、認証画像生成部３は、認証画像生成手段としてのパソコン４、画像出力手段としてのプリンタ５を含んで構成されている。
【００５７】
まず、パソコン４は、通信部３１、記憶部３２、制御部３３により構成されている。
【００５８】
通信部３１は、情報取得部１より撮影画像、生体認証情報、ピント情報等を取得したり、認証画像生成部により生成した認証画像を情報取得部に出力したりする部分である。
【００５９】
記憶部３２は、通信部３１により情報取得部１より取得した撮影画像と、生体認証情報と、ピント情報とを対応付けて記憶しておく部分である。
【００６０】
制御部３３は、取得された撮影画像（証明写真）に生体認証情報とピント情報とを埋め込んで認証画像を生成する部分である。撮影画像（証明写真）に生体認証情報とピント情報とを埋め込む方法としては、電子透かしとして埋め込む方法、生体情報を二次元バーコード、及び情報を符号化したものを埋め込む方法等が挙げられる。
【００６１】
次に、プリンタ５は、生成された認証画像を、例えば、紙などの媒体に印刷して写真として外部に出力する部分である。なお、このプリンタ５は、認証画像の電子データを他の装置に送信するのみであって、印刷は他の装置において行ってもよい。
【００６２】
［認証画像生成処理］
次に、図３のフローチャートを用いて、画像生成装置における画像生成処理について説明する。
図３（ａ）は、画像生成装置の情報取得部における画像生成処理を示すフローチャートであり、（ｂ）は、画像生成装置のパソコンにおける画像生成処理を示すフローチャートであり、（ｃ）は、画像生成装置のプリンタにおける画像生成処理を示すフローチャートである。
【００６３】
まず、撮影対象者は、画像生成装置内に入り、操作用タッチパネルにより撮りたい撮影画像（証明写真）の種類を選択する（ステップＳ１１）。
【００６４】
具体的には、操作用タッチパネルを用いて、パスポート用、運転免許証用、履歴書用等の中から撮りたい撮影画像（証明写真）の種類を選択する。
【００６５】
次に、カメラにより撮影対象者の顔を含む少なくとも一部分を撮影し、撮影画像（照明写真）を取得する。（撮影画像取得工程）（ステップＳ１２）。
【００６６】
具体的には、撮影対象者が撮影用イスに着席した後、必要があればレンズや光源を自動で調整して、撮影対象者が撮りたい撮影画像（証明写真）の種類に適した条件で撮影する。ここで、撮影対象者の顔を含む少なくとも一部分とは、撮影対象者の顔を含んでいる部分であれば、全体の写真であっても、一部分の写真であってもよい。
【００６７】
次に、カメラにより撮影対象者の顔を含む少なくとも一部分を撮影する際のカメラのピント情報を取得する（ピント情報取得工程）（ステップＳ１３）。
【００６８】
具体的には、カメラにより撮影された際のピント情報を取得する。ピント情報を取得し、撮影画像（証明写真）に埋め込み、後にこのピント情報を用いることによって、生体認証情報である目の大きさ、左右の目の間の距離、ほくろの大きさ等の長さを正確に導き出すことができる。
【００６９】
次に、撮影対象者の生体認証情報を取得する（生体認証情報取得工程）（ステップＳ１４）。
【００７０】
具体的には、虹彩情報取得部に撮影対象者の両目を近づけることにより、虹彩情報取得部は撮影対象者の虹彩情報を取得する。指紋情報取得部に右手の人差し指をかざすことにより、指紋情報取得部は撮影対象者の指紋情報を取得する。測定部は、カメラにより取得された撮影画像（証明写真）から目の大きさ、左右の目の間の距離、ほくろの大きさ等の長さを取得する。
【００７１】
次に、情報取得部は、撮影画像とピント情報と生体認証情報を認証画像生成部のパソコンに送信し（ステップＳ１５）、パソコンは、情報取得部から送信された撮影画像とピント情報と生体認証情報を取得する（ステップＳ２１）。
【００７２】
次に、生体認証情報とピント情報を撮影画像（証明写真）に埋め込み、生体認証情報とピント情報が埋め込まれた認証画像を生成する（認証画像生成工程）（ステップＳ２２）。
【００７３】
具体的には、生体認証情報とピント情報とを対応付けて、撮影画像に生体認証情報とピント情報を電子透かしとして埋め込んだり、生体情報を二次元バーコード、及び情報を符号化したものを埋め込んだりして認証画像を生成する。
【００７４】
次に、パソコンは、認証画像をプリンタに送信し（ステップS２３）、プリンタは、認証画像を取得する（ステップS３１）。
【００７５】
次に、プリンタは、認証画像を外部に出力し（画像出力工程）（ステップS３２）、情報取得部の写真排出口から出力する（ステップS１６）。
【００７６】
このようにして、撮影対象者の撮影画像に生体認証情報とピント情報が埋め込まれた認証画像が生成される。
【００７７】
以上説明したように、パスポート等に用いる撮影画像（証明写真）に生体認証情報を埋め込んだ認証画像を用いることによって、撮影画像（証明写真）を貼り替えたパスポート等を使用しても撮影画像（証明写真）に埋め込まれている生体認証情報を読み取り、当人の生体認証情報と照合することにより、偽造を見破ることができる。
【００７８】
更に、生体認証情報と対応させて撮影画像（証明写真）に埋め込まれているピント情報を用いることによって、生体認証情報を正確に取得することができるため、撮影画像（証明写真）に埋め込まれている生体認証情報を読み取り、当人の生体認証情報と照合する際に、偽造を見破る可能性を高めることができる。よって、このような認証画像を生成することにより、撮影画像（証明写真）の貼り替えや、成りすましなどによる不正使用を防止することができる。
【００７９】
また、生体認証情報が埋め込まれた撮影画像（証明写真）を１台の画像生成装置において作成できることにより、生体認証情報が埋め込まれた撮影画像（証明写真）を容易に生成することができる。よって、このような認証画像を生成することにより、撮影画像（証明写真）の貼り替えや、成りすましなどによる不正使用を簡便に防止することができる。
【００８０】
なお、本実施形態においては、撮影画像に生体認証情報とピント情報を対応させて埋め込む場合について説明したが、撮影画像に生体認証情報のみを埋め込ませることによっても本発明の効果は得られるものである。
【００８１】
また、本実施形態において、画像生成装置は一定の空間で一定の照明等が用いられるとすると、撮影画像における撮影対象者の肌の色、髪の色、目の色等の色要素においても個人を特定する生体認証情報として利用することができる。よって、これらの肌の色、髪の色、目の色等の色要素を生体認証情報として利用してもよい。
【００８２】
（第二実施形態）
以下に、本発明の画像生成装置を実施するための第二実施形態について図面を用いて説明する。なお、上述した第一実施形態と同様の部分については同様の文言を使用し説明するものとする。
【００８３】
本実施形態は、本発明に係る画像生成装置を例えば、パスポート、運転免許証、履歴書等に用いられる撮影画像（証明写真）を特定領域（パスポート用、運転免許証用、履歴書用の台紙）中の一部分に配置（生成）する画像生成装置（証明写真ボックス）に対して適用した場合の実施の形態である。
【００８４】
本発明の実施形態について、図１乃至図３を用いて説明する。
【００８５】
[画像生成装置]
まず、本実施形態に係る画像生成装置について、図１を用いて概念的に説明する。
【００８６】
本発明の画像生成装置１は、第一実施形態において説明したような構成からなり、このような構成からなる本実施形態における画像生成装置１では、まず、撮影対象者は、画像生成装置１内に入り、操作用タッチパネル１４により撮りたい撮影画像（証明写真）の種類を選択し、カメラ１１により顔を含む少なくとも一部分を撮影する。画像生成装置１は撮影画像を取得し、その際のカメラ１１のピント情報を取得する。続けて、撮影対象者の生体認証情報を取得する。次に、情報取得部２は、取得した撮影画像とピント情報と生体認証情報とを認証画像生成部３に送信し、認証画像生成部３は、情報取得部２から送信された撮影画像とピント情報と生体認証情報を取得する。
【００８７】
次に、撮影画像を特定領域（パスポート用、運転免許証用、履歴書用等の台紙（以下、単に「台紙」という場合がある。））中の一部に配置し、特定領域（台紙）のうちの撮影画像が配置される一部分以外の領域に背景画像（地紋）を配置（生成）する。次に、撮影画像（証明写真）と背景画像（地紋）とに、生体認証情報とピント情報を埋め込み、生体認証情報が埋め込まれた認証画像を生成し、認証画像を外部に出力する。
【００８８】
このように、撮影画像（証明写真）を特定領域（台紙）中の一部分に配置する場合に、撮影画像（証明写真）と背景画像（地紋）と、に生体認証情報を埋め込んだ認証画像を用いることによって、撮影画像（証明写真）と背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【００８９】
[画像生成装置１の構成及び機構]
画像生成装置１は、第一実施形態にて説明したように、情報取得部２と認証画像生成部３から構成されている。情報取得部２については第一実施形態にて説明したものと同様であるため、ここでは、認証画像生成部３について詳細に説明する。
【００９０】
（認証画像生成部３）
認証画像生成部３について説明する。認証画像生成部３は、情報取得部２から取得された撮影画像（証明写真）、又は、背景画像（地紋）に生体認証情報とピント情報とを埋め込んで認証画像を生成し、出力する部分である。
【００９１】
図２に示すように、認証画像生成部３は、認証画像生成手段としてのパソコン４、画像出力手段としてのプリンタ５を含んで構成されている。
【００９２】
まず、パソコン４は、通信部３１、記憶部３２、制御部３３により構成されている。
【００９３】
通信部３１は、情報取得部１より撮影画像、生体認証情報、ピント情報等を取得したり、認証画像生成部により生成した認証画像を情報取得部に出力したりする部分である。
【００９４】
記憶部３２は、通信部３１により情報取得部１より取得した撮影画像と、後に説明する背景画像と、に生体認証情報と、ピント情報とを対応付けて記憶しておく部分である。
【００９５】
制御部３３は、撮影画像（証明写真）を特定領域（台紙）中の一部に配置し、撮影画像が配置される一部分以外の領域に背景画像（地紋）を配置し、撮影画像と背景画像に生体認証情報とピント情報とを埋め込んで認証画像を生成する部分である。撮影画像に生体認証情報とピント情報とを埋め込む方法としては、電子透かしとして埋め込む方法、生体情報を二次元バーコード、及び情報を符号化したものを埋め込む方法等が挙げられる。
【００９６】
次に、プリンタ５は、生成された認証画像を、例えば、紙などの媒体に印刷して写真として外部に出力する部分である。なお、このプリンタ５は、認証画像の電子データを他の装置に送信するのみであって、印刷は他の装置において行ってもよい。
【００９７】
［認証画像生成処理］
次に、図３のフローチャートを用いて、画像生成装置における画像生成処理について説明する。なお、図３において、Ｓ１１〜Ｓ１６、Ｓ２１、２３、Ｓ３１、Ｓ３２については第一実施形態にて説明したものと同様であるため、ここでは、第一実施形態にて説明したものとは異なるＳ２２について詳細に説明する。
【００９８】
撮影画像取得手段により取得された撮影画像を特定領域中の一部分に配置する場合に、撮影画像と、特定領域のうちの前記撮影画像が配置される一部分以外の領域に配置される背景画像とに、生体認証情報取得手段により取得された生体認証情報を埋め込み、生体認証情報が埋め込まれた認証画像を生成する（証画像生成工程）（ステップＳ２２）。
【００９９】
具体的には、まず、撮影画像（証明写真）を特定領域（台紙）中の一部に配置し、撮影画像が配置される一部分以外の領域に背景画像（地紋）を配置する。例えば、運転免許証のように、台紙の一部分に撮影画像（証明写真）を配置し、撮影画像（証明写真）が配置された一部分以外の領域に背景画像（地紋）を配置（生成）する。
【０１００】
次に、具体的には、撮影画像と背景画像に生体認証情報とピント情報を埋め込み、生体認証情報とピント情報が埋め込まれた認証画像を生成する。
【０１０１】
例えば、生体認証情報とピント情報とを対応付けて、撮影画像と背景画像に生体認証情報とピント情報を電子透かしとして埋め込んだり、生体情報を二次元バーコード、及び情報を符号化したものを埋め込んだりして認証画像を生成する。
【０１０２】
以下は、第一実施形態にて説明したものと同様である。
【０１０３】
以上説明したように、撮影画像（証明写真）を特定領域（台紙）中の一部分に配置する場合に、撮影画像（証明写真）と、背景画像（地紋）と、に生体認証情報を埋め込んだ認証画像を用いることによって、撮影画像（証明写真）と、背景画像（地紋）に埋め込まれている生体認証情報を読み取り、当人の生体認証情報と照合することにより、偽造を見破ることができる。よって、このような認証画像を生成することにより、撮影画像（証明写真）の貼り替えや、成りすましなどによる不正使用を防止することができる。
【０１０４】
なお、第二実施形態においては、撮影画像と背景画像の両方に生体認証情報とピント情報を埋め込んだ場合について説明したが、背景画像のみに生体認証情報のみ、又は、生体認証情報とピント情報を埋め込んでもよい。
【図面の簡単な説明】
【０１０５】
【図１】本実施形態にかかる画像生成装置の概略図である。
【図２】画像生成装置の概要構成を示すブロック図である。
【図３】（ａ）画像生成装置の情報取得部における画像生成処理を示すフローチャートであり、（ｂ）画像生成装置のパソコンにおける画像生成処理を示すフローチャートであり、（ｃ）画像生成装置のプリンタにおける画像生成処理を示すフローチャートである。
【符号の説明】
【０１０６】
１・・・画像生成装置
２・・・情報取得部
３・・・認証画像生成部
４・・・パソコン
５・・・プリンタ
１１・・・カメラ
１２・・・虹彩情報取得部
１３・・・指紋情報取得部
１４・・・操作用タッチパネル
１５・・・写真排出口
１６・・・代金投入口
１７・・・撮影用イス
１８・・・鏡
２１・・・測定部
２２・・・ピント情報取得部
２３・・・通信部
３１・・・通信部
３２・・・記憶部
３３・・・制御部
【図１】
2009130384.tif 000003
【図２】
2009130384.tif 000004
【図３】
2009130384.tif 000005